(57)【要約】【課題】割り当てられているタイムコードデータを用いてマーキングされている、データメモリ装置１に記憶されているビデオを編集するためのシックで簡単な方法。【解決手段】新しい編集リスト３の作成の際に、編集装置２により、編集部分に対して設けられているデータをデータメモリ装置において当該データに割り当てられているタイムコードデータに従ってマーキングできるし、少なくとも１つの既存の編集リスト５を参照してマーキングすることもできる。【選択図】図２
2007294097.tif 000002
【特許請求の範囲】
【請求項１】
データメモリ装置（１）に記憶されているビデオおよび／またはオーディオデータを編集するための編集装置（２）であって、少なくともビデオデータは割り当てられているタイムコードデータを用いてマーキングされておりかつ該編集装置（２）は編集の際に編集リスト（３）を作成し、ここで
編集装置（２）は新しい編集リスト（３）の作成の際に作成の第１の形式において、１つの編集部分に対して設けられているデータを、データメモリ装置（１）において該データに割り当てられているタイムコードデータに相応してマーキングする
そういう形式の編集装置において、
作成の第２の形式において、前記編集装置（２）は１つの編集部分に対して設けられているデータを、少なくとも１つの既存の編集リスト（５）の一部を参照してマーキングし、ここで作成すべき編集リスト（３）内でそれぞれの編集部分に対して、前記編集形式の１つが選択可能であるが、前記編集リスト（３）内で前記両方の作成形式が混合されて使用可能である
ことを特徴とする編集装置。
【請求項２】
前記編集装置（２）は、１つの編集部分に対して設けられているデータの特徴付けを、既に作成されている編集リスト（５）に基づいて、作成すべき編集リスト（３）における当該の編集部分に対して、専ら、既存の編集リスト（５）が参照されるように行う
請求項１記載の編集装置。
【請求項３】
該編集装置（２）には、データおよび該データに属するタイムコードに対する基本リストが存在しかつ該編集装置（２）は、１つの編集部分に対して設けられているデータの特徴付けに対して、前記データメモリ装置（１）において該データに割り当てられているタイムコードデータに応じて前記基本リストにアクセスする
請求項１または２記載の編集装置。
【請求項４】
前記編集装置（２）は、ノンリニヤな編集を行う
請求項１から３までのいずれか１項記載の編集装置。
【請求項５】
請求項１から４までのいずれか１項記載の編集装置（２）を用いて作成される編集リスト（３）に相応して、データメモリ装置（１）に記憶されているビデオデータを再生するための再生装置（４）において、
該再生装置（４）は、前記データメモリ装置からビデオデータを前記編集リストにエントリされているデータに従って読み出し、この場合それぞれの編集部分に対して、当該編集部分に対して設定されている参照の形式に応じたビデオデータの読み出しが、当該編集部分にエントリされかつ前記データメモリ装置（１）においてビデオデータに割り当てられているタイムコードデータに相応してかまたは既存の編集リスト（５）の一部に対する参照に相応して行う
ことを特徴とする再生装置。
【請求項６】
少なくともビデオデータが、割り当てられているタイムコードデータを用いてマーキングされている、データメモリ装置（１）に記憶されているビデオおよび／またはオーディオデータを編集するための方法において、該方法は
編集期間に編集装置（２）を用いて編集リスト（３）を作成し、
作成すべき編集リスト（３）内のそれぞれの編集部分に対して作成の第１のまたは第２の形式の一方を選択する
ステップを有し、ここで作成すべき編集リスト（３）内でそれぞれの編集部分に対して、前記編集形式の１つが選択可能であるが、前記編集リスト（３）内で前記両方の編集形式が混合されて使用可能であり、
作成の第１の形式は次のステップを含んでおり：
新しい編集リスト（３）の作成の際に、前記編集装置（２）により、編集部分に対して設けられているデータを前記データメモリ装置（１）において当該データに割り当てられているタイムコードデータに従ってマーキングし、ここで
当該該方法は作成の第２の形式が次のステップを含んでいる：
新しい編集リスト（３）の作成の際に、前記編集装置（２）により、編集部分に対して設けられているデータを少なくとも１つの既存の編集リスト（５）を参照してマーキングする
ことによって特徴付けられている方法。
【請求項７】
編集部分に対して設けられているデータを少なくとも１つの既存の編集リスト（５）のを参照してマーキングすることは既存の編集リスト（５）のタイムコード部分を参照することを含んでいる
請求項６記載の方法。
【請求項８】
データおよび該データに割り当てられているタイムコードに対する基本リストを設け、
該基本リストを参照して、編集部分に対して設けられているデータを前記データメモリ装置（１）に割り当てられているタイムコードに従ってマーキングする
ステップを含んでいる
請求項６記載の方法。
【発明の詳細な説明】
【技術分野】
【０００１】
本発明は、データメモリ装置に記憶されているビデオおよび／またはオーディオデータを編集するための編集装置であって、少なくともビデオデータは割り当てられているタイムコードデータを用いてマーキングされておりかつ該編集装置は編集の際に編集リストを作成し、ここで編集装置は新しい編集リストの作成の際に作成の第１の形式において、１つの編集部分に対して設けられているデータを、データメモリ装置において該データに割り当てられているタイムコードデータに相応してマーキングする、そういう形式の編集装置に関する。本発明はまた、少なくともビデオデータが、割り当てられているタイムコードデータを用いてマーキングされている、データメモリ装置に記憶されているビデオおよび／またはオーディオデータを編集するための方法に関する。
【背景技術】
【０００２】
この形式の編集装置は、スタジオ並びに消費者領域においてデータメモリ装置、例えばデータ処理装置の磁気テープ装置またはメモリディスクにおいて、存在しているビデオデータおよび大抵はそれに属するオーディオデータを編集するために使用される。その際編集とは、ビデオデータおよび場合によりそれに属するオーディオデータが一部だけがおよび場合によっては配列替えされて編集リストにエントリされることの謂いである。その際データは編集リストにおいて、ビデオデータに割り当てられておりかつデータメモリ装置にも記憶されているタイムコードデータに基づいて特徴付けられる。編集リストには、種々異なった編集部分が設けられている。それぞれの編集部分に対して、大抵は２つのタイムコード値、即ち当該編集部分のビデオデータの第１画像のタイムコード値およびこのデータの最後の画像のタイムコード値がエントリされている。その際データメモリ装置に記憶されているビデオデータに、任意の、配列替えされている方法においてもアクセスすることができる。場合により、データ処理装置に記憶されている複数のビデオテイクにもアクセスすることができる。その場合編集リストに基づいて、再生過程を介して、編集リストにエントリされたタイムコード値に対応するデータが読み出されかつ直接再生されるかまたは別のメモリ装置を用いて記憶される。
【０００３】
公知の編集装置は、それが編集リストの作成の際に、データメモリ装置においてビデオデータに割り当てられているタイムコードデータに基づいていつでも直接見極めるように動作する。
【発明の開示】
【発明が解決しようとする課題】
【０００４】
本発明の課題は、冒頭に述べた形式の編集装置および編集方法を編集リストの組立構成が簡単化されるように改良することである。
【課題を解決するための手段】
【０００５】
この課題は本発明によれば、冒頭に述べた形式の編集装置において、作成の第２の形式において、前記編集装置は１つの編集部分に対して設けられているデータを、少なくとも１つの既存の編集リストの一部を参照してマーキングし、ここで作成すべき編集リスト内でそれぞれの編集部分に対して、前記編集形式の１つが選択可能であるが、前記編集リスト内で前記両方の作成形式が混合されて使用可能であることを特徴とする編集装置によって解決される。また、冒頭に述べた形式の方法において、編集装置が、新しい編集リストの作成の際に、１つの編集部分に対して設けられているデータの特徴付けを、前記データメモリ装置においてこれらデータに割り当てられているタイムコードデータに相応してかまたは当該データの特徴付けが既に行われている少なくとも１つの既存の編集リストの少なくとも一部に対する参照を用いて行い、この場合作成すべき編集リスト内で１つの編集部分に対してそれぞれ、前記編集形式の１つが選択可能であるが、前記編集リスト内で前記両方の編集形式が混合されて使用可能であるようにしたことによって解決される。
【０００６】
本発明の編集装置および編集方法では、それぞれの編集部分に対して個別に、該編集部分が特徴付けるものであるビデオデータを特徴付けるために２つの可能性がある。一方において、それ自体公知の手法において、編集部分に対するビデオデータを、データメモリ装置においてビデオデータに割り当てられているタイムコードデータに基づいて行うことができる。即ち、データメモリ装置におけるビデオデータの所定の部分を１つの編集部分に配属させようとするとき、データメモリ装置において当該ビデオデータに割り当てられている相応のタイムコード開始値および終値が編集リストにエントリされる。
【０００７】
更に、本発明の編集装置および編集方法では、１つの編集部分を、既存の編集リストの少なくとも一部に対する参照が行われることによって特徴付けることができるのである。この場合データはデータメモリ装置から直接受け取られるのではなくて、編集リストが参照される。その際新たに作成すべき編集リストに転用されるべき、ビデオデータの部分に対して、タイムコード開始値および終値を新たに作成すべき編集リストに転用することができる。既存の編集リストから転用されるべきこの部分はというと、データメモリ装置のビデオデータから複数の種々の部分を含んでいることができる。即ちこの部分は既に、組み立てられたビデオデータの種々のテイクとすることができる。
【０００８】
既存の編集リスト全体またはこの種の存在する編集リストの部分に対するこの参照によって、新たに作成すべき編集リストに対して、作成の際にデータ、ひいては作業の大部分を省略することができる。というのは、既存の編集リストの必要に応じて転用される部分は新たに組み立てる必要がないからである。
【０００９】
従って実際に、例えば既に組み立てられているデータ部分（contribution）を、これら部分がデータメモリ装置に記憶されているビデオデータおよびタイムコードデータに基づいて再び新たに組み立てられる必要なしに、新たに作成すべきデータ部分に全体または部分的に転用することができるという利点が得られる。
【００１０】
編集リスト内において、データの特徴付けのこれら２つの形式のいずれを選択するかは任意に行うことができる。即ち編集リスト内において、両方の形式を混合することができる。しかしそれぞれの個々の編集部分に対しては、これら編集部分に対していずれの形式の特徴付けを行うべきかを定めなければならない。
【００１１】
本発明の実施の形態によれば、編集装置は、１つの編集部分に対して設けられているデータの特徴付けを、既に作成されている編集リストに基づいて、作成すべき編集リストにおける当該の編集部分に対して、専ら、既存の編集リストが参照されるように行うようになっている。
【００１２】
上述の利点を強化するために、既存の編集リストの少なくとも一部に対する参照が行われるべき編集部分に対して、専ら、この既存の編集リストないし既存の編集リストの部分およびそこにエントリされているタイムコードを参照するようにすれば十分である。別の情報は有利にも、新たな編集リストの作成を簡単に実現するために記憶されない。
【００１３】
本発明の別の実施の形態によれば、編集装置に対して、編集装置に、データおよび該データに属するタイムコードに対する基本リストが存在しかつ該編集装置が１つの編集部分に対して設けられているデータの特徴付けに対して、データメモリ装置において該データに割り当てられているタイムコードデータに応じて前記基本リストにアクセスするように定められている。
【００１４】
編集部分においてビデオデータの特徴付けを、データメモリ装置において当該ビデオデータに割り当てられているタイムコードデータに従って直接行うという上述の、それ自体公知の態様は、ここでは、編集装置において、データメモリ装置に記憶されているビデオデータに対して、当該ビデオデータに割り当てられているタイムコードデータを含んでいる基本リストが既に存在しているというように改良される。従ってこれら基本リストは、タイムコード値がデータメモリ装置においてどのように記憶されるか表している、タイムコード値のイメージのようなものである。その際編集装置に対する利点は、編集過程および編集リストの作成に対して、編集装置に記憶されているタイムコード値に直接アクセスすることができかつデータメモリ装置に対するアクセスは省略されるという点にある。
【００１５】
本発明の別の実施の態様によれば、編集装置は、ノンリニヤな編集を行うようになっている。
【００１６】
ノンリニヤな編集という概念は、非常に僅かなアクセス時間しか有していないようなデータメモリ装置、例えばデータ処理装置ないしパーソナルコンピュータのディスクメモリ装置との関連において編集過程に対して実用されるようになっている。それは、１つには編集リストの作成の際に、個々のテークの組立に対して非常に短縮された待機時間しか生じず、かつ再生過程に対して、即ち編集リストの処理の際に、非常に僅かなまたは認識しない程度の待機時間しか生じず、その結果例えば送信能力のあるデータ部分に対して、送信の前に一時記憶する必要はなく、このデータ部分を送信の際に編集リストのデータに基づいて直接組立てかつ再生するという利点を有する。この形式のプロフェッショナルな用途に対して殊に、本発明の編集装置の利点は特別に効果を奏する。というのは、本発明の編集装置は時間の節約という点で一層能力を発揮するからである。
【００１７】
本発明の別の実施の態様によれば、再生装置に対しては、該再生装置が、前記データメモリ装置からビデオデータを前記編集リストにエントリされているデータに従って読み出し、この場合それぞれの編集部分に対して、当該編集部分に対して設定されている参照の形式に応じたビデオデータの読み出しが、当該編集部分にエントリされかつ前記データメモリ装置においてビデオデータに割り当てられているタイムコードデータに相応してかまたは既存の編集リストの少なくとも一部に対する参照に相応して行うように定められている。
【００１８】
この再生装置は、ビデオデータを、一方の場合においては、編集リストにエントリされたタイムコードデータに基づいて、該タイムコードデータの、ビデオデータに対する割り当てに相応して読み出す。他方の場合においては、再生装置は、既存の編集リストに基づいて、再生を行うようにされている。この編集リストには必要なデータがエントリされておりかつこれらデータに基づいてビデオデータがデータメモリ装置から読み出される。
【実施例】
【００１９】
次に本発明を図示の実施例につき図面を用いて詳細に説明する。
【００２０】
図１には、ビデオデータおよび場合によりそれに属するオーディオデータ並びに場合により別のデータが記憶されているデータメモリ装置１が示されている。ビデオデータはタイムコードデータによって特徴付けられている。
【００２１】
データメモリ装置１に記憶されているこれらデータに、編集装置２がアクセスすることができる。編集装置２は、所謂編集リストを作成するために用いられる。編集リストには、編集部分に対して個別に、編集部分に相応してどのビデオデータが再生されるべきであるかがそれぞれ指定される。
【００２２】
図１の略図では更に、既に以前に作成された編集リスト並びにその時点で編集される編集リスト３が象徴的に示されている。
【００２３】
図１に図示の再生装置４は、その時点で編集される編集リスト３並びにデータメモリ装置１に記憶されているデータにアクセスすることができる。
【００２４】
編集装置２は、編集リストの作成の際それ自体公知の手法で、編集部分を特徴付けるべきビデオデータを直接、この編集部分においてデータメモリ装置１において当該ビデオデータに割り当てられているタイムコードデータに基づいて特徴付けることができる。しかし、既に作成されている編集リスト５のデータをアクセスすることも可能である。この選択はそれぞれの編集部分に対して個別に行われる。
【００２５】
このことは、その時点で作成すべき編集リスト３において、編集部分において、データメモリ装置１において当該ビデオデータに割り当てられているタイムコードデータが直接参照されるか、または既存の編集リスト５が全体または部分的に参照されることを意味するものである。少なくとも、既存の編集リスト５に対する一部分のみの参照の場合、新たに作成すべき編集リスト３に転用されるべき、既存の編集リストの部分の開始および終了タイムコード値を、この新たに作成すべき編集リスト３に転用することができる。
【００２６】
編集リスト内で、これら２つの形式の参照を混合して行うことができるが、それぞれ個々の編集部分に対しては１つの形式の参照を固定しなければならない。
【００２７】
このような編集リストに相応してデータを処理ないし再生するために、再生装置４は編集リスト３並びに既に以前に作成されている編集リスト５のデータにアクセスする。ある編集部分に対するその時点で作成される編集リスト３において既に以前に作成されている編集リスト５への参照がエントリされていれば、再生装置４はこの編集部分に対して既存の編集リスト５のデータをアクセスする。両方の場合において、編集リスト３または５のデータに基づいて、相応のビデオデータがデータメモリ装置１から取り出される。これらデータを再生装置は出力側にて使用可能である。
【００２８】
ノンリニヤな編集のために適している装置では、この再生過程は、別のメモリ装置への一時記憶が必要でない程度に迅速に行うことができる。
【００２９】
図２の略図では、ビデオ部分１１および１２は全体ではなくて、一部だけが作成すべき編集リスト３に取り入れられるべきである。
【００３０】
ビデオ部分１１および１２の相応のセグメントは、図２においてタイムコード開始値および終値によって特徴付けられている。ビデオ部分１１においてセグメントはタイムコード値：０４ないし：０６並びにタイムコード値：０８ないし：１０によって特徴付けられている。ビデオ部分１２から、タイムコード値：０３ないし：０５のセグメントが新たに作成すべき編集リスト３に取り入れられるべきである。その際第１のビデオ部分１１のセグメント：０４ないし：０６および第２のビデオ部分１２のセグメント：０３ないし：０５は部分的にのみ新たに編集すべき編集リスト３にエントリされるべきである。
【００３１】
図２の略図から明らかであるように、ビデオ部分１１のセグメント：０４ないし：０６およびビデオ部分１２のセグメント：０３ないし：０５が既に取り上げられている既に以前に作成された編集リスト５が存在している。丁度これらの部分が新たに作成すべき編集リスト３に部分的に取り入れられるべきであるので、新たに作成すべき編集リスト３の編集部分に対して、既に作成されている編集リスト５に対する参照が行われる。しかし既に作成されている編集リスト５にまとめられている編集リスト５は一部分だけしか取り入れられない。図２は、既存の編集リスト５のタイムコード部分：０１ないし：０３のみが取り入れられるべきであることを示している。これらの部分に対して、新たに作成すべき編集リスト３において相応の参照が行われる。
【００３２】
ビデオ部分１１のセグメント：０８ないし：１０は、データメモリ装置に記憶されているタイムコード値の参照によって直接、新たに作成すべき編集リスト３において特徴付けられる。
【００３３】
図２に示された非常に簡単な例においては、新たに作成すべき編集リストの一部に対する参照が必要なだけである。この部分において、２つのビデオデータセグメントが含まれており、これら２つのビデオデータセグメントは、２つのビデオデータ部分１１および１２において、これらがデータメモリ装置に記憶されているように含まれている。既存の編集リスト５に対する参照によって、そうでなければ必要である、ビデオデータ部分１１および１２における２つのセグメントに対する個々の参照が省略される。従って、この簡単な例において既に、そうでない場合には２回行われるべき、データメモリ装置における記憶に相応するタイムコードデータへの参照が、既存の編集リストへの１回の参照にとって替わられる。既存の編集リストが通例、図２の簡単な例におけるよりも著しく多くのセグメントを有するであろうことは明かである。その場合、新たに作成すべき編集リスト３の作成の際になお一層大きな簡単化が実現される。
【図面の簡単な説明】
【００３４】
【図１】編集装置、データメモリ装置、再生装置、既に作成されている編集リストおよび作成すべき編集リストの協働を説明する略図である。
【図２】データメモリ装置に記憶されているかもしくは既に作成されているまたは作成すべき編集リストにマーキングされているかもしくはマーキングされる２、３のビデオデータおよび割り当てられたタイムコードデータを示す略図である。
【符号の説明】
【００３５】
１  データメモリ装置、  ２  編集装置、  ３  作成すべき編集リスト、  ４  再生装置、  ５  既に作成されている編集リスト、  １１  第１のデータ部分、  １２  第２のデータ部分
【図１】
2007294097.tif 000003
【図２】
2007294097.tif 000004